(57)【特許請求の範囲】
【請求項１】
コイルと、前記コイルから生ずる磁束により発熱し、熱により記録材を加熱する像加熱部材と、前記像加熱部材を圧し、記録材を挟持搬送するニップ部を形成する加圧部材と、前記像加熱手段の温度が予め設定した像加熱温度になるように前記コイルへの通電を制御する通電制御手段と、第一の坪量の記録材を第一設定温度で加熱する第一加熱モードと第一の坪量よりも小さい坪量の記録材を第一設定温度よりも低い温度の第二設定温度で加熱する第二加熱モードとを実行可能な実行手段と、を有し、前記像加熱部材のキュリー温度は前記第一設定温度よりも高い温度であって像加熱装置の耐熱温度よりも低い温度である像加熱装置において、
少なくとも前記像加熱部材或いは前記加圧部材の一方の端部を冷却する冷却手段を有し、前記第二加熱モードで記録材の幅が通紙可能な最大サイズの記録材の幅よりも小さい記録材を連続通紙する際に、非通紙部の温度がキュリー温度よりも低い温度である予め設定した温度に達すると前記冷却手段を動作することを特徴とする像加熱装置。
【請求項２】
前記予め設定した温度は、温度に対する透磁率の値が最大となる温度よりも小さい温度であることを特徴とする請求項１に記載の像加熱装置。
【発明の詳細な説明】
【技術分野】
【０００１】
本発明は、例えば、電子写真方式や静電記録方式の複写機、プリンタ、ファクシミリ等の画像形成装置において、記録材に形成されたトナー像を加熱する像加熱装置として用いられる電磁誘導加熱方式の像加熱装置に関する。
【背景技術】
【０００２】
電子写真方式等の画像形成装置には、記録材に形成されたトナー像を記録材に加熱定着させる像加熱装置を備える。この像加熱装置は、一般に、記録材上のトナーを加熱する像加熱部材と、これに圧接して記録材を挟持搬送するニップ部を形成する加圧部材とを有する。この像加熱ベルトを加熱する構成として、例えば特許文献１に開示されるように、発熱効率の高い電磁誘導加熱方式を用いた構成（誘導加熱装置）が提案されている。この誘導加熱装置は、金属導体（導電部材、磁性材料、誘導発熱体）に渦電流を発生させ、金属導体自体の表皮抵抗によってジュール発熱させる。この誘導加熱装置によれば、発熱効率が極めて向上するため、ウォームアップ時間の短縮が可能となる。
【０００３】
このような誘導加熱装置の構成であっても、像加熱部材の幅方向の長さが短いサイズの記録材を通紙する場合、記録材の通過する部分（通紙部）よりも通過しない部分（非通紙部）の温度が高くなってしまう（以下、非通紙部昇温と称す）。このため、ゴム層を有する通紙部と非通紙部において、ゴム層の熱膨張差により記録材の搬送速度に差が生ずる。この速度差によって、記録材の搬送性が低下し、記録材の画像不良が発生する場合がある。
【０００４】
この非通紙部昇温を低減する構成として、例えば特許文献２に開示されるように、像加熱部材のキュリー温度を所定の定着温度付近に調整した整磁合金を用いた誘導加熱装置が提案されている。所定温度に調整されたキュリー温度を持つ整磁合金を用いることで、像加熱部材は所定温度以上に加熱を抑えることができる。そのため、上述の非通紙部昇温を改善することができる。
【先行技術文献】
【特許文献】
【０００５】
【特許文献１】特開昭５９−３３７８７号公報
【特許文献２】特開２０００−３９７９７号公報
【発明の概要】
【発明が解決しようとする課題】
【０００６】
このような構成において、キュリー温度に近づくと発熱効率が低下する傾向にあることから、像加熱部材のキュリー温度は、コイルへの通電制御を行うことにより温度制御された記録材上の画像を加熱する像加熱温度よりも高い温度に設定される。
【０００７】
薄紙等の小さい熱量で画像を加熱することができる記録材を通紙する場合には、像加熱温度を低い温度に設定するような像加熱装置に上記のような像加熱部材を用いると以下のような問題が生ずる。
【０００８】
即ち、低い像加熱温度が設定されている状態で、幅の小さい記録材を通紙すると非通紙部の温度はキュリー温度近傍まで上昇する場合があるため、通紙部と非通紙部との間の温度差が大きくなりすぎる。その結果、記録材の搬送性の安定性が低下することになる。それを未然に防止するため、記録材間の間隔を大きくすることで非通紙部昇温を低減する構成が考えられるが、その場合には生産性が低下するといった問題が生ずる。
【課題を解決するための手段】
【０００９】
そこで、本発明は、コイルと、前記コイルから生ずる磁束により発熱し、熱により記録材を加熱する像加熱部材と、前記像加熱部材を圧し、記録材を挟持搬送するニップ部を形成する加圧部材と、前記像加熱手段の温度が予め設定した像加熱温度になるように前記コイルへの通電を制御する通電制御手段と、第一の坪量の記録材を第一設定温度で加熱する第一加熱モードと第一の坪量よりも小さい坪量の記録材を第一設定温度よりも低い温度の第二設定温度で加熱する第二加熱モードとを実行可能な実行手段と、を有し、前記像加熱部材のキュリー温度は前記第一設定温度よりも高い温度であって像加熱装置の耐熱温度よりも低い温度である像加熱装置において、少なくとも前記像加熱部材或いは前記加圧部材の一方の端部を冷却する冷却手段を有し、前記第二加熱モードで記録材の幅が通紙可能な最大サイズの記録材の幅よりも小さい記録材を連続通紙する際に、非通紙部の温度がキュリー温度よりも低い温度である予め設定した温度に達すると前記冷却手段を動作することを特徴とする。
【発明の効果】
【００１０】
本発明により、キュリー温度が設定されている像加熱部材を用いる構成において、像加熱温度の設定幅を大きくしても、小サイズ通紙時に生産性を大きく低下させなくても、非通紙部と通紙部との温度差を小さくすることができる。
【図面の簡単な説明】
【００１１】
【図１】実施例１における画像形成装置例の概略構成図
【図２】実施例１における定着装置（電磁誘導加熱方式の加熱装置）の横断面図
【図３】実施例１における正面模型図
【図４】実施例１における縦断正面図
【図５】定着ローラの発熱原理を示す図
【図６】所定のキュリー温度を持つ磁性体の、透磁率の温度特性を示す図
【図７】実施例１のフローチャット図
【図８】実施例１における定着装置の他の実施構成例を示す図
【図９】実施例１における定着装置の実施構成例を示す図
【図１０】実施例３における定着装置の実施構成例を示す横断面図
【図１１】実施例３における正面模型図
【発明を実施するための形態】
【００１２】
以下、本発明を実施するための形態を図面に基づいて説明する。
【実施例１】
【００１３】
（１）画像形成装置例
図１は本発明に従う電磁誘導加熱方式の像加熱定着装置を備えた画像形成装置の一例の概略構成模型図である。
【００１４】
まず、記録材上にトナー像を形成する画像形成部について説明する。
４１は像担持体としての回転ドラム型の感光体（感光ドラム）であり、矢印の方向に所定の周速度をもって回転駆動され、その回転課程において一次帯電器４２によってマイナスの所定の暗電位Ｖｄに一様に帯電処理される。４３はレーザービームスキャナであり、不図示の画像読取装置、コンピュータ等のホスト装置から入力されるデジタル画像信号に対応して変調されたレーザービームＬを出力し、感光ドラム４１の一様帯電処理面を走査露光する。このレーザービーム走査露光により、感光ドラム４１の露光部分は電位絶対値が小さくなって明電位Ｖｌとなり、感光ドラム４１面に画像信号に対応した静電潜像が形成される。静電潜像は現像器４４により、感光ドラム面の露光明電位Ｖｌ部にマイナスに帯電したトナーが付着することで、トナー画像として顕像化される。
【００１５】
一方、不図示の給紙トレイ上から給紙された記録材Ｐは、転写バイアスを印加した転写部材としての転写ローラ４５と感光ドラム４１の圧接部（転写部）へ感光ドラム４１の回転と同期された適切なタイミングをもって搬送される。そして、記録材Ｐの面に感光ドラム４１上のトナー画像ｔが順次転写される。トナー画像ｔが形成された記録材Ｐは、感光ドラム４１から分離され、後述する像加熱装置である定着装置Ｆに導入されて、加圧加熱されることによって、トナー画像ｔの定着処理を受けて機外に排出される。記録材Ｐを分離した後の感光ドラム４１の表面は、クリーニング装置４６で感光ドラム表面に残ったトナー等の転写残留物の除去を受けたのち、繰り返して作像に供される。
【００１６】
（２）定着装置Ｆ
次に、像加熱装置としての定着装置Ｆについて説明する。
図２は定着装置Ｆの要部の拡大横断面模型図、図３は要部の正面模型図、図４はその縦断正面模型図である。
【００１７】
この定着装置Ｆは、電磁誘導加熱方式で定着ローラ型の加熱装置であり、互いに所定の押圧力で圧接させて所定のニップ幅（ニップ長）の定着ニップ部Ｎを形成する像加熱部材としての定着ローラと加圧部材としての加圧ローラ２を有するものである。
【００１８】
定着ローラ１は、外径が４０ｍｍ、厚さは０．５ｍｍ、長さ３４０ｍｍであある。定着ローラ１の芯金１ａは、キュリー温度Ｔｃが本実施例では２２０℃になるように鉄、ニッケル、クロム等の材料を配合した整磁合金よりなる。また、表層１ｂは、厚さ３０μｍのトナー離型性を高めるためにＰＦＡやＰＴＦＥ等のフッ素樹脂から形成される。また、カラー画像等の高画質な定着画像を得るために、芯金１ａと表層１ｂの間にシリコーンゴムなどの耐熱弾性層を設けても良い。
【００１９】
この定着ローラ１はその両端部側をそれぞれ定着装置の手前側と奥側の側板（定着ユニットフレーム）２１・２２間に軸受２３を介して回転可能に支持させて配設してある。また内空部には、上記の定着ローラ１に誘導電流（渦電流）を誘起させてジュール発熱させるため磁束発生手段としてのコイル・アセンブリ３を挿入して配置してある。
【００２０】
加圧ローラ２は、外径３８ｍｍ、長さは３３０ｍｍである。そして、外径２８ｍｍ、肉厚３ｍｍの芯金２ａ、芯金２ａの周面に形成される厚さ５ｍｍの耐熱弾性層２ｂ、および耐熱弾性層２ｂの周面に形成されるＰＦＡ、ＰＴＦＥなどのフッ素樹脂より成る厚さ３０μｍの表層２ｃとから成る。
【００２１】
この加圧ローラ２は上記の定着ローラ１の下側に並行に配列して、芯金２ａの両端部側をそれぞれ定着装置の手前側と奥側の側板２１・２２間に軸受２６を介して回転自在に保持させてある。
【００２２】
そして、上記の定着ローラ１と加圧ローラ２を互いに不図示の加圧機構によって弾性体層２ｂの弾性に抗して圧接させて、該両ローラ１・２間に被加熱材としての記録材Ｐを挟持搬送してトナー像を加熱定着する幅約５ｍｍの定着ニップ部Ｎを形成させている。
【００２３】
ここで、本発明において、装置構成部材についてその長手方向とは、定着ニップ部Ｎを含む平面において記録材Ｐの搬送方向に対して直交する方向（或いは定着ローラの回転軸線方向）としている。また、中央部及び端部は、その長手方向の中央部及び端部である。
【００２４】
定着ローラ１の内空部に挿入した磁場発生手段としてのコイル・アセンブリ３は、ボビン４、磁性コア５（１，２）、コイル６、絶縁部材製のステー７等の組み立て体である。コア５はボビン４に保持させてあり、コイル６はボビン４の周囲に電線を巻回して形成されている。このボビン４・コア５・コイル６のユニットをステー７に固定支持させてある。
【００２５】
上記のコイル・アセンブリ３を定着ローラ１の内空部に挿入して所定の角度姿勢でかつ定着ローラ１の内面とコイル６との間に一定のギャップを保持させた状態にしてステー７の両端部７ａ・７ａ側をそれぞれ定着装置の手前側と奥側の保持部材２４・２５に非回転に固定支持させて配置してある。
【００２６】
コア５はフェライト、パーマロイ等の、高透磁率で残留磁束密度の低い材料であって、コイル６によって発生した磁束を定着ローラ１に導く働きをする。本実施例におけるコア５は横断面Ｔ字型であり、Ｔ字の横棒部分と縦棒部分とを構成する２枚の板状コア５（１）と５（２）との組み合わせで構成させている。
【００２７】
コイル６は、図４のように、定着ローラ１の長手方向に平行に延び、コア５を周回するようにボビン４の形状に合せて横長舟型に複数回巻回して両端で折り曲げられて巻かれるリッツ線を束ねたものである。そして、定着ローラ１の内周に沿うように湾曲して配置されている。６ａ・６ｂは上記コイル６の２本のリード線（コイル供給線）であり、ステー７の奥側から外部に引き出して、コイル６に高周波電流を供給する高周波インバーター（励磁回路）１０１に接続してある。
【００２８】
サーミスタ１１は定着ローラ１の温度を検知する温度検知部材としてのサーミスタである。このサーミスタについては後述する。
【００２９】
１２は定着前ガイド板であり、作像機構部側から定着装置Ｆに搬送された記録材Ｐを定着ニップ部Ｎの入口部に案内する。１３は分離爪であり、定着ニップ部Ｎに導入されて定着ニップ部Ｎを出た記録材Ｐが定着ローラ１に巻き付くのを抑え、定着ローラ１から分離させる役目をする。１４は定着後ガイド板であり、定着ニップ部Ｎの出口部を出た記録材Ｐを排紙案内する。
【００３０】
前記のボビン４、ステー７、分離爪１３は耐熱および電気絶縁性エンジニアリング・プラスチックから形成されている。
【００３１】
Ｇ１は定着ローラ１の奥側の端部側に固着させた定着ローラドライブギアである。このドライブギアＧ１に駆動源Ｍ１から伝達系を介して回転力が伝達されることで、定着ローラ１が図２において矢印Ａの時計方向に本実施例では３００ｍｍ／ｓｅｃの周速度にて回転駆動される。加圧ローラ２は定着ニップ部Ｎでの定着ローラ１との摩擦力で定着ローラ１の回転駆動に従動して矢印の反時計方向Ｂに回転する。
【００３２】
１５は定着ローラクリーナである。これは、クリーニングウエブ１５５ａをロール巻きに保持したウエブ繰り出し軸部１５ｂと、ウエブ巻取り軸部１５ｃと、該両軸部１５ｂ・１５ｃ間のウエブ部分を定着ローラ１の外面に押し付ける押し付けローラ１５ｄからなる。押し付けローラ１５ｄで定着ローラ１に押し付けたウエブ部分で定着ローラ１面にオフセットしたトナーが拭われて定着ローラ面が清掃される。定着ローラ１に押し付けられるウエブ部分は繰り出し軸部１５ｂ側から巻取り軸部１５ｃ側にウエブ１５ａが少しずつ送られることで徐々に更新される。
【００３３】
本実施例では、通紙は中央基準で行われる。Ｓはその中央基準である。本実施例の画像形成装置においては、通紙可能な記録材の最大サイズ（以下、大サイズ紙と記す）は例えばＡ４横（２９７ｍｍ）である。また通紙できる記録材の最小サイズ（以下、小サイズ紙と記す）は例えばＢ５Ｒ（１８２ｍｍ）である。Ｐ１はその大サイズ紙の通紙領域幅、Ｐ２は小サイズ紙の通紙領域幅である。
【００３４】
中央温度検知装置であるサーミスタ１１は、小サイズ紙の通紙領域幅Ｐ２の略中央部に対応する定着ローラ中央部分において、定着ローラ１を隔ててコイル６に向かい合うように、定着ローラ１の表面に対してに圧接させて配置してある。
このメインサーミスタ１１の定着ローラ温度検知信号は制御部（ＣＰＵ）１００に入力される。
【００３５】
画像形成装置の制御回路部１００は装置のメイン電源スイッチのＯＮにより装置を起動させて所定の作像シーケンス制御をスタートさせる。定着装置Ｆは駆動源Ｍ１の起動により定着ローラ１の回転が開始される。この定着ローラ１の回転に従動して加圧ローラ２も回転する。また制御回路部１００は高周波インバーター１０１を起動させてコイル６に高周波電流（例えば１０ｋＨｚ〜１００ｋＨｚ）を流す。これによりコイル６の周囲に高周波交番磁束が発生し、定着ローラ１が電磁誘導発熱して所定の定着温度Ｔ向かって昇温していく。この定着ローラ１の昇温がサーミスタ１１で検知され、その検知温度情報が制御回路部１００に入力する。
【００３６】
制御回路部１００はこのサーミスタ１１から入力する定着ローラ１の検知温度が所定の定着温度（像加熱温度）Ｔに維持されるように高周波インバーター１０１からコイル６に供給される電力を制御して定着ローラ１を加熱し、定着温度Ｔでの温調を行う。制御回路部１００はコイルへの通電を制御する通電制御手段としての機能を有する。
【００３７】
そして、この温調状態において、定着ニップ部Ｎに対して作像部側から未定着トナー像ｔを担持した被加熱材としての記録材Ｐが導入されて定着ニップ部Ｎを挟持搬送される。これにより、定着ローラ１の熱と定着ニップ部Ｎの加圧力で、未定着トナー像ｔが記録材Ｐの面に加熱定着される。
【００３８】
なお、本実施例１では、第一の坪量（厚み）の用紙（例えば８０ｇ／ｍ２）を加熱定着する場合は、第一加熱モードとしての普通紙モードの定着温度Ｔは１９０℃に設定される。また、第二の坪量（厚み）である薄紙（例えば６０ｇ／ｍ２）を加熱定着する場合、第二加熱モードとしての薄紙モードの定着温度Ｔは１７０℃に設定される。制御回路部１００は、普通紙モードと薄紙モードとを実行可能である実行手段としての機能を有する。
【００３９】
２７ａ、２７ｂは定着ローラ１の略両端部を冷却する、冷却手段としての冷却ファンである。冷却ファン２７ａ、２７ｂは、普通紙モードにて通紙する場合には動作を停止し、薄紙モードにて通紙する場合にのみ不図示の駆動手段によって動作する。
【００４０】
ここで、図５を用いて、導電部材である定着ローラ芯金１ａの電磁誘導発熱原理を説明する。コイル６には、高周波インバーター１０１から交流電流が印加され、これによってコイル６の周囲には矢印Ｈで示した磁束が生成消滅を繰り返す。磁束Ｈは、コア５（１，２）と芯金１ａによって形成された磁路に沿って導かれる。コイル６が生成した磁束の変化に対して、芯金１ａ内では、磁束の変化を妨げる方向に磁束を発生するように渦電流が発生する。この渦電流を矢印Ｃで示す。
【００４１】
この渦電流Ｃは、表皮効果により芯金１ａのコイル６側の面に集中して流れ、芯金１ａの表皮抵抗Ｒｓに比例した電力で発熱を生じる。
【００４２】
ここで、コイル６に印加する交流電流の周波数ｆ（Ｈｚ）、芯金１ａの透磁率μ（Ｈ／ｍ）、芯金１ａの固有抵抗ρ（Ω・ｍ）から得られる表皮深さδ（ｍ）および表皮抵抗Ｒｓ（Ω）は、式１および式２で示される。
【００４３】
【数１】
0005800688.tif 000002
【００４４】
【数２】
0005800688.tif 000003
【００４５】
また、芯金１ａに誘導される渦電流をＩｆ（Ａ）は、芯金１ａ内に通過する磁束の量に比例することから、コイル６の巻き数Ｎ（回）、コイル６に印加されるコイル電流Ｉ（Ａ）を用いて、式３で示される。
【００４６】
【数３】
0005800688.tif 000004
【００４７】
以上より、芯金１ａに発生する電力Ｗ（Ｗ）は、芯金１ａ内に誘導される渦電流Ｉｆと表皮抵抗によるジュール発熱であることから、式４で示される。
【００４８】
【数４】
0005800688.tif 000005
【００４９】
式４より、芯金１ａの発熱量を増加させるためには、芯金１ａは、鉄やニッケル等の強磁性金属もしくはその合金のような、高透磁率で高抵抗な材料を用いればよく、コイル６の巻き数を増やしても良いことがわかる。
【００５０】
また、高周波インバーター１０１は、コイル６に印加するコイル電流Ｉもしくはコイル電流の周波数ｆを制御することにより、芯金１ａの発熱量を最適に制御することが可能となる。
【００５１】
次にキュリー温度Ｔｃについて説明する。一般に強磁性体は、材料固有のキュリー温度Ｔｃまで加熱されると、自発磁化を失う。その結果、強磁性体の透磁率μは真空の透磁率μ０とほぼ等しくなり、一定となる。したがって、定着ローラ１の導電部材である芯金１ａの温度がキュリー温度Ｔｃを越えてしまうと、芯金１ａの発熱量Ｗが減少する。
【００５２】
ただし、実際には、キュリー温度Ｔｃの前後で急に透磁率μが変化するわけではなく、図６に示すように、キュリー温度Ｔｃよりも低い透磁率低下温度Ｔｃ’から変化が開始する。即ち、透磁率低下温度は透磁率の最大値を示す温度となる。なお、本実施例１で用いた芯金１ａの透磁率低下温度Ｔｃ’は２００℃であり、キュリー温度Ｔｃは２２０℃である。
【００５３】
ここで、芯金１ａの厚さをｔ（ｍ）とすると、芯金１ａの温度が上昇し、芯金１ａの表皮深さδが芯金１ａの厚さｔ以上である場合、芯金１ａに誘導される渦電流は、芯金１ａの断面方向の全体にわたって流れる。この場合の表皮抵抗Ｒｓ’（Ω）および発熱量Ｗ’（Ｗ）は、式５および式６で示される。
【００５４】
【数５】
0005800688.tif 000006
【００５５】
【数６】
0005800688.tif 000007
【００５６】
実際には、式６で示される発熱量Ｗ’と、芯金１ａからの放熱量Ｑ（Ｗ）との関係が、Ｗ’≦Ｑとなるような条件において、芯金１ａの温度は所定の飽和温度Ｔｓで一定となる。
【００５７】
ここで、放熱量Ｑは、定着ローラ１表面の表面積および放射率、定着ローラ１表面の温度と周囲雰囲気および加圧ローラ２との温度差、および周囲雰囲気および加圧ローラ２への熱伝達率に依存する。
【００５８】
以上より、芯金１ａに所定の温度、具体的には定着温度Ｔよりも高く、定着装置の耐熱温度である非通紙部昇温の許容温度より低くなるようにキュリー温度Ｔｃを調整した整磁合金を用いることによって、芯金１ａの温度は所定の飽和温度Ｔｓで一定となる。その結果、小サイズの記録材を通紙しても、非通紙部の温度は一定となる。
【００５９】
一方で、上述の薄紙モードのように、透磁率低下温度Ｔｃ’およびキュリー温度Ｔｃよりも定着温度Ｔが十分低い場合においては、かえって通紙部と非通紙部の温度差が大きくなる状態が起こりうる。これは、非通紙部の発熱量は透磁率低下温度Ｔｃ’を越えるまでは発熱量は通紙部とほぼ同等であり、透磁率低下温度Ｔｃ’を越えてから発熱量の低下が始まることが原因である。
【００６０】
したがって、上述の薄紙モードように、透磁率低下温度Ｔｃ’およびキュリー温度Ｔｃよりも定着温度Ｔがさらに低い場合においては、上述の放熱量Ｑを大きくすることによって、透磁率低下温度Ｔｃ’付近で速やかに温度を一定とすることが可能となる。
【００６１】
例えば、従来例として、本実施例１の構成で冷却ファン２７ａ、２７ｂを動作させない場合について、坪量８０ｇ／ｍ２のＡ４Ｒ用紙を普通紙モード（定着温度（第一設定温度）１９０℃）にて連続通紙したときの非通紙部の飽和温度Ｔｓは２１５℃となる。通紙部と非通紙部の温度差ΔＴは２５℃であったが、定着後の紙には、紙シワおよび擦れ画像等の画像不良は発生しなかった。
【００６２】
一方、坪量６０ｇ／ｍ２のＡ４Ｒ用紙を薄紙モード（定着温度（第二設定温度）１７０℃）にて連続通紙したときの非通紙部の飽和温度Ｔｓは２１０℃であり、通紙部と非通紙部の温度差ΔＴは４０℃であり、定着後の紙には、擦れ画像が発生した。
【００６３】
上述の従来例に対して、本実施例１では、薄紙モードを選択された時には、冷却ファン２７ａ、２７ｂを動作させることにより、非通紙部の飽和温度Ｔｓは２００℃となる。通紙部と非通紙部の温度差ΔＴは３０℃となり、定着後の紙には紙シワおよび擦れ画像等の画像不良は発生しなかった。
【００６４】
すなわち、本実施例１の構成にあっては、普通紙モードよりも定着温度が低い薄紙モードにおいては、普通紙モードよりも定着ローラの非通紙部の放熱量Ｑを大きくするため、非通紙部の温度を普通紙モード時の飽和温度よりも低くすることが出来る。その結果、通紙部と非通紙部の温度差が小さくなり、薄紙においても紙シワおよび擦れ画像等の画像不良を改善することが出来る。
【００６５】
（冷却ファン動作シーケンス）
本実施例では、定着ローラ１の端部の温度を検知し、この検知温度が予め設定した設定温度に達すると、冷却ファンの動作を開始するように冷却ファンの動作を制御する。
【００６６】
具体的には、図９において、大サイズ紙の通紙領域幅であるＰ１より外側に、第二の温度検知部材としてのサブサーミスタ２８を配置している。そして、サブサーミスタ２８が予め設定した設定温度に達すると、冷却ファン２７ａ、２７ｂを動作させる構成である。
【００６７】
本実施例では、薄紙モードのように定着温度とキュリー温度との差分が大きい通紙モードで小サイズ紙を通紙した場合には、定着温度から透磁率低下温度までの温度差が大きいため、その領域での非通紙部昇温が大きくなる。そのため、本実施例では、定着温度とキュリー温度との差分が大きい通紙モードでは、定着温度から透磁率低下温度の間で冷却ファンを動作させることで、昇温が大きい領域での昇温を抑え、通紙部と非通紙部との温度差を小さくするものである。
【００６８】
次に、本発明の冷却ファンの動作について、フローチャートを用いて説明する。
【００６９】
本実施例では、普通紙モードと薄紙モードの二つのモードを備えた画像形成装置である。もちろん、他のモードを備える画像形成装置であってもいい。
【００７０】
画像形成ジョブが入力されるとスタートする（Ｓ０１）．そして、制御回路部１００は、その画像形成ジョブが普通紙モードであるかどうかの判断をする（Ｓ０２）。普通紙モードの場合は、Ｓ０３へ進み、普通紙モードでない場合は、Ｓ０８に進む。普通紙モードの場合には、定着温度は１９０℃に設定される（Ｓ０３）。次に、記録材の幅が所定の長さよりも小さいかどうかの判断が行われる（Ｓ０４）。記録材の幅が所定の長さよりも小さいと判断された場合には、その記録材が通紙するものとして画像形成動作がスタートする。そして、画像形成動作中に端部の温度が２１０℃に達したかどうかの判断が行われる（Ｓ０５）。即ち、サブサーミスタ２８が第一の非通紙部温度（２１０℃）を検知したかどうかの判断が行われる。そして、端部の温度が２１０℃に達したら、冷却ファン２７ａ、２７ｂが動作する（Ｓ０６）。その後、画像形成ジョブの画像形成が終了したかどうかの判断が行われ（Ｓ０７），画像形成が終了した場合には、エンドとなる（Ｓ１４）。なお、Ｓ０４で記録材の幅が所定の長さよりも長い場合には、冷却ファンの動作は行なわれず、Ｓ０７に進む。
【００７１】
一方で、Ｓ０２で普通紙モードでない場合には、本実施例では薄紙モードが選択される（Ｓ０８）。薄紙モードの場合には、定着温度は１７０℃に設定される（Ｓ０９）。次に、記録材の幅が所定の長さよりも小さいかどうかの判断が行われる（Ｓ１０）。記録材の幅が所定の長さよりも小さいと判断された場合には、その記録材が通紙するものとして画像形成動作がスタートする。そして、画像形成動作中に端部の温度が１９０℃に達したかどうかの判断が行われる（Ｓ１１）。即ち、サブサーミスタ２８が第一の非通紙部温度（１９０℃）を検知したかどうかの判断が行われる。そして、端部の温度が１９０℃に達したら、冷却ファン２７ａ、２７ｂが動作する（Ｓ１２）。その後、画像形成ジョブの画像形成が終了したかどうかの判断が行われ（Ｓ１３），画像形成が終了した場合には、エンドとなる（Ｓ１４）。なお、Ｓ１０で記録材の幅が所定の長さよりも長い場合には、冷却ファンの動作は行なわれず、Ｓ１３に進む。
【００７２】
本実施例の構成により、普通紙モード（定着温度１９０℃）において連続通紙を行った場合には、サブサーミスタ２８が第一の非通紙部温度（２１０℃）を検知すると、冷却ファン２７ａ、２７ｂが動作することによって、非通紙部の温度（飽和温度）はおよそ２２０℃で一定となる。一方、薄紙モード（定着温度１７０℃）において連続通紙を行った場合は、非通紙部の温度（飽和温度）はおよそ２００℃で一定となる。
【００７３】
なお、本実施例では、普通紙モードの場合にも冷却ファンを動作させるものであった。その目的は、通紙部温度と非通紙部温度との差分をできるだけ小さくすることである。しかし、普通紙モードの定着温度とキュリー温度との差は、記録材の搬送不良が生ずるほど大きくないため、冷却ファンを動作させない構成であってもいい。
【００７４】
このように、本実施例により、非通紙部の温度を普通紙モード時の飽和温度よりも低くすることが出来るため、通紙部と非通紙部の温度差が小さくなり、薄紙においても紙シワおよび擦れ画像等の画像不良を改善することが出来た。
【実施例２】
【００７５】
本実施例２は、加熱部材としての定着ローラの芯金の透磁率の変化を検知する透磁率検知手段として、コイルに対向して配置される検知コイルに誘導される電流もしくは電圧を検知する装置を備えることを特徴とする。
【００７６】
具体的には、図１０において、芯金１ａを間に挟むようにコイル６に対向する、検知コイル３０が配置される。また、検知コイル３０に誘導される誘導電流を測定する電流検知手段としての電流計３１を備え、検知コイル３０と電流計３１はともに閉回路を形成する。検知コイル３０は、定着ローラ１の表面とは所定のギャップを維持するよう、不図示のホルダで保持されている。その他の構成に関しては、上記の実施例１と同様である。なお、図１１に示すとおり、検知コイル３０は、小サイズの通紙領域であるＰ２よりも外側の領域に配置することとする。
【００７７】
次に、本実施例２においての、芯金１ａの透磁率の変化を検知する方法を述べる。
所定のキュリー温度Ｔｃになるよう調整された芯金１ａの温度が上昇し、透磁率低下温度Ｔｃ’を越えると、芯金１ａの透磁率は低下し、上記（式１）で示される表皮深さδ大きくなる。そして、表皮深さδが芯金１ａの厚さｔを越えると、コイル６ａ、６ｂが発生する磁束のうち、芯金１ａの外側に漏れる量が急激に増加する。
【００７８】
芯金１ａの外側に漏れた磁束は、コイル６ａ、６ｂと対向して配置された検知コイル３０を通過するため、検知コイル３０には、芯金１ａの外側に漏れた磁束をキャンセルする方向に、漏れた磁束量と比例する誘導電流が流れる。
【００７９】
したがって、検知コイル３０に接続された電流計３１の出力から、芯金１ａの透磁率の変化を検知することが可能となる。
【００８０】
本実施例２は、実施例１の薄紙モード、普通紙モードの冷却ファンの動作に加えて、更に、冷却ファンの動作を追加するものである。即ち、電流計３１が所定値以上を検知すると、冷却ファン２７ａ、２７ｂを動作させることで、非通紙部の放熱量を増加させ、非通紙部の飽和温度Ｔｓを低下させることが出来る。
【００８１】
［その他］
１）加熱部材の形態はローラ体に限られず、エンドレスベルト体など他の回転体形態にすることができる。また、加熱部材は誘導発熱体である導電部材単体の部材として構成することもできるし、導電部材の層を含む、耐熱性樹脂・セラミックス等の他の材料層との２層以上の複合層部材として構成することもできる。
２）磁束発生手段による導電部材の誘導加熱は実施例の内部加熱方式に限られず、磁束発生手段を導電部材の外側に配設した外部加熱方式の装置構成にすることもできる。
３）温度検知手段１１はサーミスタに限らず、温度検知素子であればよく、また接触式でも非接触式でも構わない。
４）上記の実施例では、冷却手段として冷却ファンを用いるものであった。しかし、冷却手段は、冷却ファンの構成に限定されるものではない。例えば、冷却手段２７ａ、２７ｂとして、冷却ファンのほかに、高熱伝導率材料よりなる放熱ローラを用いても良い。この場合、不図示の着脱機構によって定着ローラ１に当接および離間可能であり、例えば、通常モードにおいて、放熱ローラは定着ローラ１より離間され、薄紙モードにおいては、放熱ローラは定着ローラ１に当接される。これにより、薄紙モードにおいて、定着ローラ１の放熱量を増加させ、非通紙部の飽和温度Ｔｓを低くすることができるため、小サイズ紙の薄紙を連続通紙しても、紙シワや擦れ画像等の画像不良の発生を押さえることが可能となる。
【００８２】
同様に、冷却手段として、ペルチェ素子を用いても良い。この場合は、通常モードにおいてはペルチェ素子には通電されずに、薄紙モードにおいては、ペルチェ素子に通電が行われる。
【００８３】
また、本実施例１では、定着ローラ１を冷却手段２７ａ、２７ｂにて直接冷却したが、定着ローラ１に接触する他の部材を冷却することによって、定着ローラ１との温度差を大きくすることにより、定着ローラ１の放熱量を増やしても良い。
【００８４】
定着ローラ１に当接する部材の一例として、図８に示すように、冷却手段２７ａ、２７ｂは加圧ローラ２を冷却しても良い。この場合、加圧ローラ２の非通紙部を冷却することで、定着ローラ１と加圧ローラ２の温度差を大きくすることにより、間接的に定着ローラ１の放熱量を増加させ、非通紙部の飽和温度Ｔｓを低くすることができる。そのため、小サイズ紙の薄紙を連続通紙しても、紙シワや擦れ画像等の画像不良の発生を押さえることが可能となる。
【００８５】
さらには、普通紙モードと薄紙モードで、冷却手段による冷却効果に関して差をつけても良い。例えば、図２に示す本実施例１において、薄紙モードにおいては冷却ファン２７ａ、２７ｂを等速で動作させ、普通紙モードにおいては冷却ファン２７ａ、２７ｂを半速で動作させてもよい。
【００８６】
さらには、本実施例１においては、普通紙モードと、普通紙モードよりも定着温度の低い薄紙モードを備えるが、定着温度の設定はこれに限らない。例えば、普通紙モードおよび薄紙モードの他に、普通紙モードよりも定着温度Ｔが高い第三のモードとして厚紙モード等を設定しても良い。
【００８７】
また、本実施例１においては、定着温度の異なるモードとして、普通紙モードと、普通紙モードよりも定着温度の低い薄紙モードを例示したが、定着温度が異なるモードであればこれに限らない。例えば、フルカラー画像を加熱定着する加熱装置において、フルカラーモードと、フルカラーモードよりも定着温度が低い単色モードにおいても同様に適用可能である。
【符号の説明】
【００８８】
１  定着ローラ（導電部材）
２  加圧ローラ
３  コイル・アセンブリ（磁場発生手段）
５  コア（磁性コア）
６  コイル
１１  サーミスタ（温度検知手段）
２７ａ、２７ｂ  冷却ファン（冷却手段）
４１  感光体（感光ドラム）
４２  一次帯電器
４３  レーザービームスキャナ
４４  現像器
４５  転写ローラ
４６  クリーニング装置
Ｆ  定着装置
Ｐ  記録材（被加熱材）
ｔ  トナー像
【図１】
0005800688.tif 000008
【図２】
0005800688.tif 000009
【図３】
0005800688.tif 000010
【図４】
0005800688.tif 000011
【図５】
0005800688.tif 000012
【図６】
0005800688.tif 000013
【図７】
0005800688.tif 000014
【図８】
0005800688.tif 000015
【図９】
0005800688.tif 000016
【図１０】
0005800688.tif 000017
【図１１】
0005800688.tif 000018